(57)【特許請求の範囲】
【請求項１】
電動モータで駆動されるドライバによってステープルを打ち出して被綴り材を貫通させ、被綴り材を貫通したステープルの脚部をカッター装置の脚受け孔に貫通させて所定の長さに切断した後にクリンチャによって内側に折り曲げて被綴り材を綴じ、切断した切断脚部をカッター装置の内部に取り込み、取り込んだ脚部をシューターに回収する電動ホッチキスにおいて、
上記カッター装置には傾斜して移動するカッターを設け、カッターには、ステープルの脚部を内部に取り込んで切断するための脚受け孔を形成するとともに、このカッターの上記脚受け孔の下方の裏面に、取り込んだ切断脚部が脚受け孔から被綴り材側に逆流しないようにする略三角錘状の逆流防止部材を設けたことを特徴とする電動ホッチキスにおけるステープルの切断脚部の逆流防止機構。
【発明の詳細な説明】
【０００１】
【発明の属する技術分野】
本発明は、被綴り材を貫通したステープルの脚部の先端の余分な部分を切断した後にクリンチするタイプの電動ホッチキスにおいて、切断したステープルの切断脚部がカッター装置の内部から被綴り材側に逆流しないようにする切断脚部の逆流防止機構に関する。
【０００２】
【従来の技術】
一般に、被綴り材の枚数が多い場合は、ステープルの脚部が長いものを使用するが、同じステープルで少ない枚数の被綴り材を綴じると、脚部を折り曲げた時に両側の脚部が重なり合ってしまうので、これを防止するため綴り台上の被綴り材を貫通して被綴り材の裏側に突出した脚部のうち綴りに必要な部分を残して残りを切断した後にクリンチする機構を備えた電動ホッチキスが知られている。
【０００３】
この電動ホッチキスは、図８（ａ）に示すように、クリンチャを回動自在に支持する２枚の支持板４０の中途部にカッター装置４１を直交方向に移動可能に配置するとともに、カッター装置４１にはステープル脚部６ａを貫通させる脚受け孔４２を形成し、被綴り材を貫通したステープル脚部６ａが支持板４０の間に挿入されてカッター４３の脚受け孔４２を貫通するようにし、カッター装置４１を後退移動させることによってステープルの脚部６ａの不要部分を切断し、切断された切断脚部はカッター装置からシューター（切断脚部の回収部）内に収容されるようになっているものである。
【０００４】
【発明が解決しようとする課題】
しかしながら、複写機に内装され、複写後の用紙を自動的に綴じる電動ホッチキスの場合は、被綴り材である複写後の用紙を下から貫通させるために電動ホッチキスは複写機に斜めに取りつけられている。その為、カッター装置４１は図８（ｂ）に示すように、約６０度傾いた状態で上下方向にスライド移動してステープル脚部６ａを切断することになる。その結果、カッター装置４１によって切断された切断脚部４６はカッター４３をカッターホルダー４４に固定するネジ４５の取り付け部分に邪魔されてカッターホルダー４４内から図示しないシューターにスムーズに流れず、カッターホルダー４４内部に滞留し、滞留した切断脚部４６がカッター４３の脚受け孔４２から溢れ出たり、飛び出したりして被綴り材に付着したり、機構部分に紛れ込んだり、電気回路をショートさせる等の不具合を生じる恐れがあった。
【０００５】
本発明は上記問題点を解消し、ステープルの切断脚部がカッターの脚受け孔から逆流しないようにする電動ホッチキスにおけるステープルの切断脚部の逆流防止機構を提供することをその課題とする。
【０００６】
【課題を解決するための手段】
前記課題を解決するため、本発明に係る電動ホッチキスにおけるステープルの切断脚部の逆流防止機構は、電動モータで駆動されるドライバによってステープルを打ち出して被綴り材を貫通させ、被綴り材を貫通したステープルの脚部をカッター装置の脚受け孔に貫通させて所定の長さに切断した後にクリンチャによって内側に折り曲げて被綴り材を綴じ、切断した切断脚部をカッター装置の内部に取り込み、取り込んだ脚部をシューターに回収する電動ホッチキスにおいて、上記カッター装置には傾斜して移動するカッターを設け、カッターには、ステープルの脚部を内部に取り込んで切断するための脚受け孔を形成するとともに、このカッターの上記脚受け孔の下方の裏面に、取り込んだ切断脚部が脚受け孔から被綴り材側に逆流しないようにする略三角錘状の逆流防止部材を設けたことを特徴とする。
【０００７】
【発明の実施の形態】
図１は複写機に内装された状態を示す電動ホッチキスの要部の斜視図であり、この電動ホッチキスは、ドライバ駆動機構と、その上部に配置されたステープル脚部切断機構とクリンチャ機構とを備えている。
【０００８】
ドライバ駆動機構は、図示しない電動モータによって作動する溝カム１と、溝カム１の回転により揺動する駆動リンク２と、両側の駆動リンク２の先端を連結する連結杆３に支持されたドライバホルダ４と、ドライバホルダ４に支持されたドライバ５とから構成され、電動モータにより溝カム１を回転させると、駆動リンク２が揺動してドライバ５が上下するようになっている。
【０００９】
ドライバ５の上方にはステープルを供給するステープル供給装置（図示せず）が設けられている。さらに、その上方にはステープル脚部切断機構とクリンチャ機構とが配置されている。
【００１０】
ステープル脚切断機構は図２、図３に示されるように、上記クリンチャホルダ８ａ、８ｂに形成された横長長方形の方形孔９に出没可能なカッターブロック（カッター装置）Ａで構成され、このカッターブロックＡは、図４（ａ）（ｂ）に示すように、カッター１０とカッターホルダー１１とで構成され、板状のカッター１０の前端にはステープル６の脚部６ａが挿入可能な長孔の脚受け孔１２が八の字状に配置され、中央部に形成された取り付け孔１３を介して皿ネジ１４でカッターホルダー１１にネジ止めされるようになっている。
【００１１】
カッターホルダー１１は、略長方形の枠体状に形成され、後述するリンク板１５の回動に連動してカッターフレーム１８の下側面を前後に摺動可能に配置されているもので、カッターホルダー１１の中央にはカッター１０を固定する皿ネジ１４を螺合するネジ受け部１９が形成され、ネジ受け部１９の前面の側壁１９ａは前方に向かって斜め上方に傾斜している。そして、ネジ受け部１９とカッター１０の脚受け孔１２との間には逆流防止機構が設けられている。この逆流防止機構は脚受け孔１２側に向かって先窄まりの山形状に折り曲げられた金属板からなる逆流防止部材２０（図５参照）で構成され、この逆流防止部材２０の側部には、外側に向かってフランジ２１が形成され、カッター１０をカッターホルダー１１にねじ止めする際、このフランジ２１の先端２１ａをカッター１０とカッターホルダー１１とで挟むようにねじ止めすることによりカッター１０とカッターホルダー１１とで挟持されてカッター１０の裏面に貼り付くように固定することにより、恰もカッター１０の裏面が略三角錐状に膨出したようにすることができる。
【００１２】
クリンチャ機構は、図２に示されるように、上述のクリンチャホルダ８ａ、８ｂの間に２枚のクリンチャ７を回動可能に配置したもので、各クリンチャ７はクリンチャホルダ８ａ、８ｂの方形孔９を避けるようなアーチ形に形成され、その基部は重ねられて軸２５に回動可能に支持され、回動時に各先端が被綴り材の表面に沿って移動して全体が開閉するように構成されている。
【００１３】
さらに、カッターホルダー１１にはクリンチャレバー１７が上下動可能に取り付けられている（図１参照）。クリンチャレバー１７の先端１７ａはクリンチャ７の係合溝２６に係合可能に配置され、クリンチャレバー１７の中央はカッターフレーム１８に設けられた支軸２７に揺動可能に取り付けられている。さらに、クリンチャレバー１７の後部には駆動リンク３０が結合され、この駆動リンク３０の後端は溝カム１の裏側の溝（図示せず）に係合している。さらに、クリンチャレバー１７の近傍には三角形状のリンク板１５が軸３１によって揺動可能に配置され、その前端は軸３２を介してクリンチャレバー１７に、下端は軸３３を介してカッターブロックＡにそれぞれ作動連結されている。したがって、溝カム１が回転することにより、駆動リンク３０が作動してクリンチャレバー１７が揺動すると、これに連動してリンク板１５が回動してカッターブロックＡが前後動し、クリンチャレバー１７の先端１７ａがクリンチャ７の係合溝２６に係合してクリンチャ７が回動するようになっている。
【００１４】
上記構成において、電動モータにより溝カム１を回転させると、駆動リンク２が上下に揺動してドライバ５が上下動する。ドライバ５が上動した時はステープル６を打撃してステープル６の脚部６ａを被綴り材に貫通させる。被綴り材を貫通したステープルの脚部はカッター１０の脚受け孔１２に挿入される。その後、溝カム１によって駆動リンク３０が揺動し、クリンチャレバー１７を下動する。この時、クリンチャレバー１７に連動してリンク板１５が軸３１を中心に回動し、リンク板１５に設けられた軸３３がカッターブロックＡを後方に退避動させ、図６に示すように、ステープル６の脚部６ａの不要部分３５を切断する。ステープルの脚部の切断直後に、クリンチャーレバー１７の先端１７ａがクリンチャ７の係合溝２６に係合して押し下げるので、クリンチャ７は軸２５を中心に閉じ方向に回動し、ステープル６の脚部６ａを内側に折り曲げて綴りが完了する。
【００１５】
カッターブロックＡが退避動しながら切断した脚部６ａの不要部分３５は切断脚部としてカッターホルダー１１内に取り込まれるが、図７に示すように、不要部分（切断脚部）３５は逆流防止部材２０の表面を滑り落ち、さらに、斜めに形成されたネジ受け部１９の斜面１９ａでカッターフレーム１８の中空部１８ａに案内され、中空部１１ａを経由して図示しないシュレッダー内に収容される。切断された切断脚部３５は、万が一ネジ受け部１９の斜面１９ａに滞留するようなことがあっても逆流防止部材２０に阻止されてカッター１０の脚受け孔１２まで逆流することはなく、脚受け孔１２から被綴じ材側に飛び出すことはなく、切断脚部３５が被綴じ材に付着したり、機構部分に紛れて誤作動の原因になったり、電気回路内に紛れて回路をショートさせるようなトラブルの発生を回避することができる。
【００１６】
【発明の効果】
本発明によれば、カッターの裏面に逆流防止部材を設ける簡単な構造で、切断後の切断脚部がカッターブロック内に滞留し、滞留した切断脚部がカッターの脚受け孔から飛び出して被綴じ材に付着したり、機構部分に紛れて誤作動の原因になったり、電気回路内に紛れて回路をショートさせるようなトラブルの発生を回避することができる。また、カッターブロック内に切断脚部が滞留することがなくなるので清掃をする必要がなくなりメンテナンスフリーの電動ホッチキスを実現することができる。
【図面の簡単な説明】
【図１】電動ホッチキスの要部の斜視図
【図２】ステープル脚部切断機構をクリンチャ機構とともに示す分解斜視図
【図３】上記ステープル脚部切断機構及びクリンチャ機構を説明する斜視図
【図４】（ａ）（ｂ）はカッターブロックの平面図及びＸーＸ線断面図
【図５】（ａ）（ｂ）（ｃ）は逆流防止部材の正面図、底面図及び右側面図
【図６】（ａ）（ｂ）はステープルの脚部の切断状態を説明する縦断面図
【図７】カッターフレームとカッターブロックとの縦断面図
【図８】（ａ）（ｂ）は従来のカッター装置の縦断面図
【符号の説明】
５  ドライバ
６  ステープル
７  クリンチャ
１０  カッター
２０  逆流防止部材
３５  切断脚部
Ａ  カッター装置
【図１】
0003541273.tif 000002
【図２】
0003541273.tif 000003
【図３】
0003541273.tif 000004
【図４】
0003541273.tif 000005
【図５】
0003541273.tif 000006
【図６】
0003541273.tif 000007
【図７】
0003541273.tif 000008
【図８】
0003541273.tif 000009